(57)【要約】【課題】  装用状態が目立つことなく、チューブの交換が容易な耳かけ形補聴器を提供する。【解決手段】  イヤホンから出力される音を外耳道へ導くチューブ４と、このチューブ４を摺動自在に貫通孔５ａに嵌挿するイヤモールド５と、チューブ４の外耳道側端部４ａに挿入するインサート部材８を備え、チューブ４の外耳道側端部４ａは、イヤモールド５先端の貫通孔５ａの壁とインサート部材８の外壁で挟持される。チューブ４の外耳道側端部４ａが挟持されるイヤモールド５先端の貫通孔５ａには、段部５ｂが形成されている。【選択図】        図３
2008311805.tif 000002
【特許請求の範囲】
【請求項１】
イヤホンから出力される音を外耳道へ導くチューブと、このチューブを摺動自在に貫通孔に挿入するイヤモールドと、前記チューブの外耳道側端部に挿入するインサート部材を備え、前記チューブの外耳道側端部は、前記イヤモールド先端の貫通孔の壁と前記インサート部材の外壁で挟持されることを特徴とする耳かけ形補聴器。
【請求項２】
前記チューブの外耳道側端部が挟持される前記イヤモールド先端の貫通孔には、段部が形成されている請求項１記載の耳かけ形補聴器。
【請求項３】
前記インサート部材が音響抵抗の保持手段を有する、または前記インサート部材が音響抵抗である請求項１又は２記載の耳かけ形補聴器。
【発明の詳細な説明】
【技術分野】
【０００１】
本発明は、イヤモールドとチューブの接続にジョイントを用いない耳かけ形補聴器に関する。
【背景技術】
【０００２】
従来の耳かけ形補聴器としては、使用者の外耳道の形状に合わせて作製されたイヤモールドとチューブの接続を、ジョイントを用いて行うことが知られている。
また、ジョイントを使わずに、イヤモールドに直接チューブを接着した耳かけ形補聴器も知られている。
【発明の開示】
【発明が解決しようとする課題】
【０００３】
しかし、ジョイントは、一般的に透明な樹脂で作製されるが、外観上非常に目立ち、装用者にとっては快くないと感じることがある。
また、イヤモールドに直接チューブを接着する方法では、チューブが傷付いたり、劣化して変色したり割れたりした場合に、チューブを削って除去しなければならず、取り扱いが煩雑である。
【０００４】
本発明は、従来の技術が有するこのような問題点に鑑みてなされたものであり、その目的とするところは、装用状態が目立つことなく、チューブの交換が容易な耳かけ形補聴器を提供しようとするものである。
【課題を解決するための手段】
【０００５】
上記課題を解決すべく請求項１に係る発明は、イヤホンから出力される音を外耳道へ導くチューブと、このチューブを摺動自在に貫通孔（音道）に挿入するイヤモールドと、前記チューブの外耳道側端部に挿入するインサート部材を備え、前記チューブの外耳道側端部は、前記イヤモールド先端の内壁と前記インサート部材の外壁で挟持されるものである。
【０００６】
請求項２に係る発明は、請求項１記載の耳かけ形補聴器において、前記チューブの外耳道側端部が挟持される前記イヤモールド先端の貫通孔に、段部を形成した。
【０００７】
請求項３に係る発明は、請求項１又は２記載の耳かけ形補聴器において、前記インサート部材が音響抵抗の保持手段を有する、または前記インサート部材が音響抵抗であるようにした。
【発明の効果】
【０００８】
請求項１に係る発明によれば、外観上非常に目立つジョイントを用いないので、快適に装用することができる。チューブが破損した場合など、チューブの交換を必要とする際に、容易にチューブを交換することができる。
【０００９】
請求項２に係る発明によれば、イヤモールド先端の貫通孔に段部を形成することにより、イヤモールドとチューブの接続を確実に行うことができる。
【００１０】
請求項３に係る発明によれば、イヤモールドの外耳道側に音響抵抗を設置することができるので、反射によるピークが生じ難くなるため、ハウリングし難くなる。
【発明を実施するための最良の形態】
【００１１】
以下に本発明の実施の形態を添付図面に基づいて説明する。ここで、図１は本発明に係る耳かけ形補聴器の概要斜視図、図２は組み付け説明図、図３は要部断面図、図４はインサート部材の断面図、図５は装用状態を示す図である。
【００１２】
本発明に係る耳かけ形補聴器１は、図１に示すように、補聴器本体２、フック３、チューブ（音導管）４、イヤモールド５からなる。イヤモールド５は、装用者の外耳道の形状に合わせて、光造形法により光硬化樹脂などで作製される。光造形法でイヤモールド５を作製する場合、ＣＡＤ上で貫通孔５ａの形状や通り道を設定でき、自動的に貫通孔５ａの通ったイヤモールド５を作製できる。７は電池ホルダである。補聴器本体２には、補聴処理を行うＤＳＰ（Digital Signal Processor）、マイクロホン、イヤホンなどが収納されている。
【００１３】
チューブ４とイヤモールド５の接続は、図２に示すように、先ずイヤモールド５に形成された外耳道側と補聴器本体２側を貫通する貫通孔（音道）５ａにチューブ４を通し、外耳道側に数センチメートル突出させる。次いで、外耳道側に突出させたチューブ４の外耳道側端部４ａにインサート部材８を嵌挿する。インサート部材８をチューブ４の外耳道側端部４ａに嵌挿させたら、チューブ４を補聴器本体２側へ引っ張り、外耳道に臨む貫通孔５ａからチューブ４の外耳道側端部４ａが突出しないようにする。
【００１４】
すると、図３に示すように、チューブ４の外耳道側端部４ａは、イヤモールド５先端の貫通孔５ａの壁とインサート部材８の外壁により挟持され、固定される。また、イヤモールド５先端の貫通孔５ａに形成された段部５ｂにより、チューブ４は抜け難くなる。段部５ｂについても、イヤモールド５を作製する際に、ＣＡＤ上で形状の設定ができ、自動的にイヤモールド５の貫通孔５ａに段部５ｂを作製できる。
【００１５】
インサート部材８は、図４に示すように、略円筒形状に形成されている。インサート部材８の外耳道側端部８ａには、チューブ４の外耳道側端部４ａがインサート部材８より突出しないように、鍔部８ｂが形成されている。また、外耳道側端部８ａと反対側のインサート部材８の端部８ｃには、チューブ４の外耳道側端部４ａに嵌挿し易く、且つ抜け難くするために、鉤部８ｄが形成されている。鉤部８ｄは、インサート部材８がチューブ４を押圧する効果も高める。
【００１６】
インサート部材８の内壁には、図４（ａ）に示すように、ダンパ９を保持するためのリング状のストッパ８ｅが設けられている。また、インサート部材８の外耳道側端部８ａには、図４（ｂ）に示すように、音響抵抗１０を、保持手段１１を介して設置することもできる。インサート部材８に、ダンパ９と音響抵抗１０を両方設置することもできる。また、音響抵抗１０は直接インサート部材８に接着することもできる。イヤモールド５の外耳道側に音響抵抗１０を設置することができるので、音響抵抗１０により反射によるピークが生じないため、ハウリングし難くなる。
【００１７】
以上のように構成された本発明に係る耳かけ形補聴器１の作用について説明する。チューブ４とイヤモールド５を接続した耳かけ形補聴器１を装用する。その際、図５に示すように、耳珠１５の上からチューブ４が現れるようにすると、耳かけ形補聴器１の装用がより目立ち難くなる。
【００１８】
また、チューブ４が傷付いたり、劣化して変色したり割れたりして、チューブ４を交換する場合には、インサート部材８をチューブ４の外耳道側端部４ａから外せば、容易に新たなチューブ４と交換することができる。
【産業上の利用可能性】
【００１９】
本発明によれば、ジョイントを用いることなく、イヤモールドとチューブを接続するので、装用時に目立たないため、装用をためらうことなく快適に装用することができ、耳かけ形補聴器の需要拡大が図れる。
【図面の簡単な説明】
【００２０】
【図１】本発明に係る耳かけ形補聴器の概要斜視図
【図２】組み付け説明図
【図３】要部断面図
【図４】インサート部材の断面図で、（ａ）はダンパを設置した場合、（ｂ）は音響抵抗を設置した場合
【図５】装用状態を示す図
【符号の説明】
【００２１】
１…耳かけ形補聴器、２…補聴器本体、４…チューブ、４ａ，８ａ…外耳道側端部、５…イヤモールド、５ａ…貫通孔、５ｂ…段部、８…インサート部材、９…ダンパ、１０…音響抵抗、１１…保持手段。
【図１】
2008311805.tif 000003
【図２】
2008311805.tif 000004
【図３】
2008311805.tif 000005
【図４】
2008311805.tif 000006
【図５】
2008311805.tif 000007